(57)【要約】【課題】操作ボタン（シャッターボタン等）の中心を押さなくても、操作ボタンが傾かずに真っ直ぐに押し込まれるようにする。【解決手段】操作者によって押込みされる操作部５１ａを備えるシャッターボタン５１と、シャッターボタン５１を押し出す方向に付勢する板バネ５３ａと、両端の回転部５２ａ及び中間のクランク部５２ｂからなり、クランク部５２ｂによって操作部５１ａの反対側からシャッターボタン５１を支持するクランク軸５２と、クランク軸５２の回転部５２ａを回転可能に支持する支持板５３とを有する。【選択図】図７
2010146853.tif 000002
【特許請求の範囲】
【請求項１】
操作者によって押込みされる操作部を備える操作ボタンと、
前記操作ボタンを押し出す方向に付勢する付勢手段と、
両端の回転部及び中間のクランク部からなり、前記クランク部によって前記操作部の反対側から前記操作ボタンを支持するクランク軸と、
前記クランク軸の前記回転部を回転可能に支持する支持手段と
を有する押しボタン装置。
【請求項２】
請求項１に記載の押しボタン装置において、
前記操作ボタンは、前記クランク軸の軸方向に長く形成されている
押しボタン装置。
【請求項３】
請求項１に記載の押しボタン装置において、
前記支持手段は、前記操作ボタンの前記操作部の反対側に配置された支持板であり、
前記付勢手段は、前記支持板に一体的に形成された板バネである
押しボタン装置。
【請求項４】
撮像レンズと、
前記撮像レンズの後部に配置され、前記撮像レンズによって結像された被写体像を撮像するための撮像素子と、
前記撮像レンズ及び前記撮像素子を収容するケースと、
前記ケースの外面に配置され、操作者によって押込みされる操作部を備える操作ボタンと、
前記操作ボタンを押し出す方向に付勢する付勢手段と、
両端の回転部及び中間のクランク部からなり、前記クランク部によって前記操作部の反対側から前記操作ボタンを支持するクランク軸と、
前記クランク軸の前記回転部を回転可能に支持する支持手段と
を有する撮像装置。
【請求項５】
請求項４に記載の撮像装置において、
前記操作ボタンは、前記撮像素子によって被写体像を撮像するときに操作するシャッターボタンである
撮像装置。
【請求項６】
請求項４に記載の撮像装置において、
前記ケースは、直方体状であり、
前記操作ボタンは、前記ケースの長手方向に長く形成されている
撮像装置。
【発明の詳細な説明】
【技術分野】
【０００１】
本発明は、操作者が操作ボタンを押し込んで操作する押しボタン装置及び撮像装置に関する。詳しくは、操作ボタンの中心を押さなくても、操作ボタンが真っ直ぐに押し込まれるようにした技術に関する。
【背景技術】
【０００２】
デジタルスチルカメラやデジタルビデオカメラ等の撮像装置は、従来から、撮像レンズによって被写体像を結像させ、撮像レンズの後部に配置されたＣＣＤ（Charge Coupled Device Image Sensor）イメージセンサやＣＭＯＳ（Complementary Metal Oxide Semiconductor ）イメージセンサ等の撮像素子によって被写体像を撮像するようになっている。そして、実際に被写体像を撮像するときは、操作者が操作ボタン（シャッターボタン等）を押し込んで操作する。
【０００３】
ここで、シャッターボタン等の表面形状は、これまで真円がほとんどであった。しかし近年では、デザイン性の向上等を図るため、表面が長円形状のシャッターボタンを用いたシャッターボタン装置が増えている（例えば、特許文献１参照）。
【特許文献１】特開２００７−１５８７９９号公報
【発明の開示】
【発明が解決しようとする課題】
【０００４】
図８は、上記の特許文献１に記載されているような従来のシャッターボタン装置１５０の構造を示す側面図である。
図８に示すように、シャッターボタン装置１５０は、作動突起１５１ａを備えるシャッターボタン１５１と、基板１５２と、トグルバネ１５３とを有している。そして、作動突起１５１ａは、シャッターボタン１５１の押込みに応じて基板１５２に押し込まれ、撮像を行うための電気スイッチ（図示せず）を作動させるようになっている。また、トグルバネ１５３は、シャッターボタン１５１と基板１５２との間のスペースに挿入され、基板１５２に支持されて、シャッターボタン１５１を押し出す方向（図８では、上方向）に付勢している。
【０００５】
このような従来のシャッターボタン装置１５０において、シャッターボタン１５１は、表面が長円形状となるように形成されている。そして、トグルバネ１５３は、このシャッターボタン１５１の長手方向の中心部に配置されている。そのため、操作者がシャッターボタン１５１の長手方向の端部を図８（ｂ）に示す矢印のように押し込むと、トグルバネ１５３は、シャッターボタン１５１の全体を支えることができなくなり、トグルバネ１５３を基点としてシャッターボタン１５１が傾く。その結果、基板１５２に対して作動突起１５１ａが十分に押し込まれなくなり、電気スイッチ（図示せず）が作動しないため、撮像が行われないことがある。また、操作者によるシャッターボタン１５１の押込みが不安定になったり、押し込まれたシャッターボタン１５１の外見が悪くなったりする。
【０００６】
したがって、本発明が解決しようとする課題は、操作ボタン（シャッターボタン等）の中心を押さなくても、操作ボタンが傾かずに真っ直ぐに押し込まれるようにすることである。
【課題を解決するための手段】
【０００７】
本発明は、以下の解決手段によって、上述の課題を解決する。
本発明の請求項１に記載の発明は、操作者によって押込みされる操作部を備える操作ボタンと、前記操作ボタンを押し出す方向に付勢する付勢手段と、両端の回転部及び中間のクランク部からなり、前記クランク部によって前記操作部の反対側から前記操作ボタンを支持するクランク軸と、前記クランク軸の前記回転部を回転可能に支持する支持手段とを有する押しボタン装置である。
【０００８】
また、本発明の請求項４に記載の発明は、撮像レンズと、前記撮像レンズの後部に配置され、前記撮像レンズによって結像された被写体像を撮像するための撮像素子と、前記撮像レンズ及び前記撮像素子を収容するケースと、前記ケースの外面に配置され、操作者によって押込みされる操作部を備える操作ボタンと、前記操作ボタンを押し出す方向に付勢する付勢手段と、両端の回転部及び中間のクランク部からなり、前記クランク部によって前記操作部の反対側から前記操作ボタンを支持するクランク軸と、前記クランク軸の前記回転部を回転可能に支持する支持手段とを有する撮像装置である。
【０００９】
（作用）
上記の請求項１及び請求項４に記載の発明は、操作者によって押込みされる操作部を備える操作ボタンと、両端の回転部及び中間のクランク部からなるクランク軸とを有している。そして、操作ボタンは、操作部の反対側からクランク軸のクランク部によって支持され、クランク軸の回転部は、支持手段によって回転可能に支持される。そのため、クランク軸の回転部の正逆回転によってクランク部が往復移動し、操作ボタンは、クランク部に合わせて全体が動くようになる。
【発明の効果】
【００１０】
上記の発明によれば、操作ボタンは、クランク軸のクランク部に合わせて全体が往復移動する。そのため、操作ボタンの中心だけでなく、どこを押しても、操作ボタンが真っ直ぐに押し込まれるようになる。したがって、押しボタン装置としての機能を確実に発揮することができる。
【発明を実施するための最良の形態】
【００１１】
以下、図面を参照して、本発明を実施するための最良の形態（以下、実施の形態とする）について説明する。
ここで、本発明における撮像装置は、以下の実施の形態では、デジタルスチルカメラ１０であるとする。また、本発明の押しボタン装置は、以下の実施の形態では、デジタルスチルカメラ１０に組み込まれたシャッターボタン装置５０であるとする。
【００１２】
［撮像装置の構成例］
図１は、本発明の撮像装置の一実施形態としての、デジタルスチルカメラ１０を示す斜視図である。なお、このデジタルスチルカメラ１０には、本発明の押しボタン装置の一実施形態としての、シャッターボタン装置５０が組み込まれている。
図１に示すように、デジタルスチルカメラ１０は、外装を構成する直方体状のケース１１を備えている。また、デジタルスチルカメラ１０の上面は、ケース１１の外面の一部であるキャビネット１２によって構成されている。なお、上下左右とは、以下、図１（ａ）で見たデジタルスチルカメラ１０の上下左右を言う。
【００１３】
このようなケース１１の前面側の右上部には、図１（ａ）に示すように、撮像レンズ１３が配置されている。そして、撮像レンズ１３の後部には、撮像レンズ１３によって結像された被写体像を撮像するための撮像素子１４が配置されている。なお、撮像素子１４としては、例えば、ＣＣＤ（Charge Coupled Device ）イメージセンサ、ＣＭＯＳ（Complementary Metal Oxide Semiconductor ）イメージセンサ等を使用できる。
【００１４】
また、撮像レンズ１３の左隣には、撮影補助光を出射するフラッシュ１５、ＡＦ（Auto Focus）補助光発光部１６が設けられている。さらに、ケース１１の前面側には、カバー１７が上下方向にスライド可能に設けられている。そして、このカバー１７は、ケース１１の前面側の下方に位置して撮像レンズ１３、フラッシュ１５、及びＡＦ補助光発光部１６を露出させる撮影位置と、前面側の上方に位置してこれらを覆う保護位置との間をスライドするようになっている。
【００１５】
さらにまた、キャビネット１２の長手方向の左寄りには、電源ボタン１８と、本実施形態のシャッターボタン装置５０の一部を構成するシャッターボタン５１（本発明における操作ボタンに相当するもの）とが配置されている。そして、電源ボタン１８を押して電源を入れ、カバー１７を下方にスライドさせた位置（図１（ａ）に示す位置）にすれば、撮影の準備が完了し、その後、操作者がシャッターボタン５１を押し込めば（押し下げれば）、撮像素子１４によって被写体像が撮像される。
【００１６】
さらに、図１（ｂ）に示すように、ケース１１の後面側には、ディスプレイ１９、ズームレバー２０、メニューボタン２１、十字キー２２、決定ボタン２３、及び露出補正ボタン２４が設けられている。ここで、ディスプレイ１９は、液晶表示器等であり、設定メニューの他、撮影する画像を表示したり、撮影された画像を再生等する。ズームレバー２０は、操作者がズーミング（変倍操作）を行うときに操作する。メニューボタン２１は、ディスプレイ１９に各種の設定メニュー（静止画撮影モード、動画撮影モード、再生モード等）を表示させるときに操作し、表示された設定メニューは、十字キー２２で選択して決定ボタン２３で決定する。露出補正ボタン２４は、絞りを開閉して逆光補正等の露出補正をワンタッチで行うときに操作する。
【００１７】
図２は、本発明の撮像装置の一実施形態としての、デジタルスチルカメラ１０の構成を示すブロック図である。
図２に示すように、デジタルスチルカメラ１０には、撮像レンズ１３として、前玉レンズ１３ａ、ズームレンズ１３ｂ、中間レンズ１３ｃ、及びフォーカスレンズ１３ｄが光軸に沿って配列されている。
【００１８】
また、中間レンズ１３ｃとフォーカスレンズ１３ｄとの間には、絞り開閉装置２５が配置されている。この絞り開閉装置２５は、絞り駆動装置２６によって駆動され、絞り開口の開口量を増減させることができる。例えば、明るい被写体を撮影する場合には、フォーカスレンズ１３ｄの後部に配置された撮像素子１４への入射光量を少なくするため、絞り開口の開口量を減少させて光量を絞る。
【００１９】
さらにまた、フォーカスレンズ１３ｄは、光軸方向にスライド可能となっており、フォーカスレンズ駆動装置２７によって駆動される。このフォーカスレンズ駆動装置２７は、例えば、ステッピングモータやリニアモータ等であり、フォーカスレンズ１３ｄを光軸方向にスライドさせてフォーカシング（焦点調節操作）を行う。なお、ズームレンズ１３ｂもステッピングモータやリニアモータ等によって光軸方向にスライド可能となっており、ズームレバー２０（図１（ｂ）参照）の操作によってズーミング（変倍操作）を行うことができる。
【００２０】
さらに、デジタルスチルカメラ１０には、Ａ／Ｄ（Analog／Digital ）変換部２８、カメラＤＳＰ（Digital Signal Processor）２９、メモリ３０、ディスプレイ１９、及びＣＰＵ（Central Processing Unit ）３１が設けられている。この中で、Ａ／Ｄ変換部２８は、撮像素子１４から出力されたアナログ信号をデジタル信号に変換する。具体的には、撮像レンズ１３によって結像された被写体像が撮像素子１４によって光電変換され、その出力であるアナログ信号がＡ／Ｄ変換部２８によってデジタル信号に変換される。
【００２１】
このデジタル信号は、カメラＤＳＰ２９により、ガンマ補正、色分離、色差マトリクス等の処理が施される。そして、メモリ３０に保存され、ディスプレイ１９に被写体像として表示される。また、Ａ／Ｄ変換部２８によって変換されたデジタル信号の輝度データがＣＰＵ３１に送信される。
【００２２】
ＣＰＵ３１は、送信された輝度データに基づいて露出制御用の計算を行う。そして、その計算結果が適正でなかった場合には、露出が適正になるように、絞り駆動装置２６を制御する。さらに、ＣＰＵ３１は、フォーカスレンズ駆動装置２７を制御し、フォーカスレンズ１３ｄをスライドさせてフォーカシング（焦点調節操作）を行う。
【００２３】
このように、デジタルスチルカメラ１０は、ＣＰＵ３１の制御により、露出制御及びフォーカシングを行うが、これらは、図１に示すシャッターボタン５１の半押しによってロックされる。具体的には、シャッターボタン５１の半押し状態と全押し状態との２つの状態を検出できるようになっており、シャッターボタン５１が半押しされると、露出及びフォーカスがロックされる。さらに、シャッターボタン５１が全押しされると、ロックされた露出及びフォーカスによって撮像が行なわれる。そして、シャッターボタン５１は、デザイン性の向上を図るとともに、半押し及び全押しの際の操作性の向上を図るため、直方体状のケース１１の長手方向に長く形成されている。
【００２４】
［押しボタン装置の構成例］
図３は、本発明の押しボタン装置の一実施形態としての、シャッターボタン装置５０を示す分解斜視図である。
図３に示すように、シャッターボタン装置５０は、操作者によって押込みされる操作部５１ａを備えるシャッターボタン５１と、両端の回転部５２ａ及び中間のクランク部５２ｂからなるクランク軸５２と、クランク軸５２の回転部５２ａを回転可能に支持する支持板５３（本発明における支持手段に相当するもの）とを有している。
【００２５】
ここで、シャッターボタン５１は、クランク軸５２のクランク部５２ｂにより、操作部５１ａの反対側から支持される。また、支持板５３は、シャッターボタン５１の操作部５１ａの反対側に配置され、支持板５３には、シャッターボタン５１を押し出す方向に付勢する一対の板バネ５３ａが一体的に形成されている。そのため、図８に示す従来のシャッターボタン装置１５０のような基板１５２及びトグルバネ１５３を設ける場合に比べ、省スペース化が図られた構造となっている。そして、キャビネット１２の裏面側に支持板５３を取り付けると、キャビネット１２に形成されたシャッターボタン穴１２ａからシャッターボタン５１の操作部５１ａが突き出るようになる。なお、キャビネット１２には、電源ボタン１８（図１参照）に対応する電源ボタン穴１２ｂも形成されている。
【００２６】
また、シャッターボタン５１は、デザイン性の向上を図るとともに、操作者によって押込みされる操作部５１ａを大きくして操作性の向上を図るため、操作部５１ａ及び操作部５１ａに平行な断面が長円形状に形成されている。そして、クランク軸５２の軸方向に長くなっており、長方形状のキャビネット１２の長手方向に長く（直方体状のケース１１（図１参照）の長手方向に長く）なるように配置される。なお、シャッターボタン５１とシャッターボタン穴１２ａとのクリアランスは、約０．１ｍｍとなっている。
【００２７】
図４は、本発明の押しボタン装置の一実施形態としての、シャッターボタン装置５０を示す組立て図である。
図４（ａ）に示すように、シャッターボタン５１は、操作者によって押込みされる操作部５１ａがキャビネット１２から突き出ている。そのため、操作性は、シャッターボタン５１をキャビネット１２の表面近くまで押し込むことができる。なお、シャッターボタン５１がキャビネット１２の表面近くまで押し込まれた状態が全押しであり、その中間の状態が半押しである。
【００２８】
ここで、図４（ｂ）に示すように、シャッターボタン５１の裏面（操作部５１ａ（図４（ａ）参照）の反対側の面）には、クランク軸５２のクランク部５２ｂがはめ込まれる。そして、クランク軸５２の両端の回転部５２ａは、キャビネット１２の裏面に形成された２つの軸受け部１２ｃにはめ込まれ、回転可能となっている。
【００２９】
さらに、図４（ｃ）に示すように、キャビネット１２の裏面には、支持板５３が取り付けられる。そのため、クランク軸５２の回転部５２ａ（図４（ｂ）参照）は、軸受け部１２ｃ（図４（ｂ）参照）にはめ込まれた状態で、支持板５３の表面によって回転可能に支持される。また、支持板５３に一体的に形成された２つの板バネ５３ａがシャッターボタン５１の裏面に当接し、キャビネット１２からシャッターボタン５１を押し出す方向に付勢する。したがって、図４（ａ）に示すように、シャッターボタン５１の操作部５１ａがキャビネット１２から突き出るようになり、操作者は、この操作部５１ａを押し込むことができるようになる。そして、操作者が操作部５１ａの押込みをやめれば、操作部５１ａは、元の状態（図４（ａ）に示す状態）に戻る。なお、板バネ５３ａによる付勢力は、操作者の押込み操作に適度な強さとなっている。
【００３０】
図５は、本発明の押しボタン装置の一実施形態としての、シャッターボタン装置５０のシャッターボタン５１及びクランク軸５２を示す組立て図である。
図５に示すように、シャッターボタン５１は、操作者によって押込みされる操作部５１ａ、両端部でクランク軸５２を支える２つの軸支え５１ｂ、中央部でクランク軸５２を保持する２つの軸保持突起５１ｃ、及び電気スイッチ（図示せず）を作動させるための作動突起５１ｄから形成されている。
【００３１】
このようなシャッターボタン５１に対し、クランク軸５２は、両端の回転部５２ａがシャッターボタン５１の両側に露出するようにして取り付けられる。具体的には、シャッターボタン５１の軸支え５１ｂ及び軸保持突起５１ｃによって形成される空間内にクランク軸５２のクランク部５２ｂをはめ込む。そして、クランク軸５２が落下しないように軸支え５１ｂで支え、クランク軸５２の軸方向がシャッターボタン５１の長手方向と平行になるように軸保持突起５１ｃで保持する。なお、作動突起５１ｄは、クランク軸５２のはめ込みに支障がない場所に形成されている。また、クランク軸５２は、シャッターボタン５１の裏面側にはめ込まれいるだけなので、シャッターボタン５１に対して自由に回転できる。
【００３２】
図６は、本発明の押しボタン装置の一実施形態としての、シャッターボタン装置５０のシャッターボタン５１の押込み操作を示す説明図である。
図６に示すように、デジタルスチルカメラ１０を右手で保持するときは、デジタルスチルカメラ１０の側面を手の平に当て、後面側を親指で支えるとともに、前面側を中指、薬指、及び小指で支えるようにする。
【００３３】
ここで、デジタルスチルカメラ１０の外形は、右手で保持したときに、人差し指の第１関節から第２関節とデジタルスチルカメラ１０の上面との間に少し隙間ができ、人差し指の指先がシャッターボタン５１の操作部５１ａに自然に導かれるようになっている。そのため、操作者は、デジタルスチルカメラ１０を自然に構えることができ、自由に動かすことができる人差し指でシャッターボタン５１を操作できる。
【００３４】
シャッターボタン５１の操作は、人差し指の第１関節と第２関節とを軽く曲げ、指先のほうの腹の部分を操作部５１ａに当接させる。そして、そのまま操作部５１ａを軽く押し込めばシャッターボタン５１の半押し状態となり、さらに押し込めば全押し状態となって撮像が行なわれる。また、押込み操作の際に、長円形状のシャッターボタン５１の中心が押されず、長手方向の端部が押し込まれた場合であっても、シャッターボタン５１は、傾くことなく真っ直ぐに押し込まれる。
【００３５】
図７は、本発明の押しボタン装置の一実施形態としての、シャッターボタン装置５０のシャッターボタン５１の押込み前後の状態を示す側面図である。
図７（ａ）に示すように、シャッターボタン５１の下面には、支持板５３に一体的に形成された２つの板バネ５３ａが当接している。そして、押込み前のシャッターボタン５１は、２つの板バネ５３ａにより、押し出す方向に付勢されている（下から押し上げられている）。そのため、クランク軸５２は、両端の回転部５２ａよりも中間のクランク部５２ｂのほうが上に位置するようになり、シャッターボタン５１の操作部５１ａがキャビネット１２の表面から大きく突き出る。
【００３６】
ここで、操作者が操作部５１ａの長手方向の端部を図７（ｂ）に示す矢印のように押し込むと、押込み方向（下向き）に板バネ５３ａがたわみ、シャッターボタン５１が押し込まれる（押し下げられる）。この際、クランク軸５２は、両端の回転部５２ａが支持板５３によって回転可能に支持されているため、回転中心軸５４を中心として時計回りに回転する。そのため、中間のクランク部５２ｂは、回転中心軸５４との間の平行関係を維持しながら、回転部５２ａよりも下に位置するようになる。
【００３７】
ここで、シャッターボタン５１は、操作部５１ａの反対側にクランク部５２ｂが結合しており、全体的に支持されている。そのため、クランク部５２ｂが回転中心軸５４と平行を保ったまま下向きに移動すれば、操作部５１ａも回転中心軸５４との平行関係が維持され、シャッターボタン５１がクランク部５２ｂと同時に、一体的に下向きに移動する。したがって、回転中心軸５４に対し、シャッターボタン５１の片側のみが下がって傾いたりすることがなく、図７（ｂ）に示すように、キャビネット１２の表面近くまで下向きに真っ直ぐ押し込まれる。なお、操作者が操作部５１ａの押込みをやめれば、シャッターボタン５１は、板バネ５３ａの付勢力によって図７（ａ）に示す元の状態に復帰する。
【００３８】
このように、本実施形態のシャッターボタン装置５０によれば、操作部５１ａのどこが押込みされた場合であっても（中心が押されず、長手方向の端部が押し込まれた場合であっても）、シャッターボタン５１は、真っ直ぐに押し込まれる。そのため、長円形状のシャッターボタン５１が斜めに押されることがなくなり、押し込まれたときのシャッターボタン５１の外観的な品位が向上する。また、シャッターボタン５１の押込みが安定し、作動突起５１ｄが常に十分に押し込まれるようになるので、撮像を行うための電気スイッチ（図示せず）を確実に作動させることができる。さらにまた、シャッターボタン５１の半押し状態と全押し状態との２つの状態を確実に検出できる。
【００３９】
以上、本発明の実施形態について説明したが、本発明は、上述した実施形態に限定されることなく、以下のような種々の変形が可能である。例えば、
（１）実施形態では、撮像装置として、デジタルスチルカメラ１０を例に挙げている。しかし、これに限らず、デジタルビデオカメラ等の各種の撮像装置にも広く適用可能である。
【００４０】
（２）実施形態では、操作ボタンとして、シャッターボタン５１を例に挙げている。しかし、これに限らず、メニューボタン等の各種の操作ボタンにも広く適用可能である。また、実施形態では、シャッターボタン５１をクランク軸５２の軸方向に長く形成し、操作部５１ａ及び操作部５１ａに平行な断面を長円形状としている。しかし、これに限らず、真円、楕円、長方形、三角形、菱形等の様々な形状とすることができる。
【００４１】
（３）実施形態では、シャッターボタン５１の付勢手段として、支持板５３に一体的に形成された２つの板バネ５３ａを用いている。しかし、これに限らず、支持板と別体の板バネや、線バネ、コイルバネ等の各種のバネ等を用いることができる。また、付勢手段の形状、配置場所、数等は、何ら限定されない。例えば、シャッターボタン５１の下面に板バネ５３ａを当接させて付勢するのではなく、コイル状のバネをクランク軸の回転部に取り付け、コイルのねじり反力を付勢力とし、クランク軸を介してシャッターボタンを押し出す方向に付勢してもよい。
【００４２】
（４）実施形態では、クランク軸５２の回転部５２ａを回転可能に支持する支持手段として、シャッターボタン５１の操作部５１ａの反対側に配置された支持板５３を用いている。しかし、これに限らず、キャビネットの裏面にはめ込む等して支持するようにしてもよい。
【図面の簡単な説明】
【００４３】
【図１】本発明の撮像装置の一実施形態としての、デジタルスチルカメラを示す斜視図である。
【図２】本発明の撮像装置の一実施形態としての、デジタルスチルカメラの構成を示すブロック図である。
【図３】本発明の押しボタン装置の一実施形態としての、シャッターボタン装置を示す分解斜視図である。
【図４】本発明の押しボタン装置の一実施形態としての、シャッターボタン装置を示す組立て図である。
【図５】本発明の押しボタン装置の一実施形態としての、シャッターボタン装置のシャッターボタン及びクランク軸を示す組立て図である。
【図６】本発明の押しボタン装置の一実施形態としての、シャッターボタン装置のシャッターボタンの押込み操作を示す説明図である。
【図７】本発明の押しボタン装置の一実施形態としての、シャッターボタン装置のシャッターボタンの押込み前後の状態を示す側面図である。
【図８】従来のシャッターボタン装置の構造を示す側面図である。
【符号の説明】
【００４４】
１０  デジタルスチルカメラ（撮像装置）
１１  ケース
１２  キャビネット（ケースの一部）
１３  撮像レンズ
１４  撮像素子
５０  シャッターボタン装置（押しボタン装置）
５１  シャッターボタン（操作ボタン）
５１ａ  操作部
５２  クランク軸
５２ａ  回転部
５２ｂ  クランク部
５３  支持板（支持手段）
５３ａ  板バネ（付勢手段）
【図１】
2010146853.tif 000003
【図２】
2010146853.tif 000004
【図３】
2010146853.tif 000005
【図４】
2010146853.tif 000006
【図５】
2010146853.tif 000007
【図６】
2010146853.tif 000008
【図７】
2010146853.tif 000009
【図８】
2010146853.tif 000010